(57)【要約】  【課題】比較的簡単な構成でシートに対する位置を容易に調整できるとともに、美観を向上できるアームレスト装置を提供する。  【解決手段】シートにケース12をチルト可能に軸支する。ケース12に対してスライド可能に肘掛部13を設ける。肘掛部13を前方向にスライドさせることでシートに対するケース12のチルトを複数の角度で固定可能にするとともに、肘掛部13を後方向にスライドさせることでシートに対するケース12のチルトの固定を解除可能なロック機構46を設ける。比較的簡単な構成でオペレータがシートの座部に座ったままで肘掛部13の位置を容易に調整できる。位置を調整するための操作レバーをケース12から突出させて設けるなどの必要がないため、アームレスト装置６の美観を向上できる。  【選択図】図１
2005132137.tif 000002
【特許請求の範囲】
【請求項１】
シートに対応して設けられたアームレスト装置であって、
シートに対し可動的に設けられた本体部と、
本体部の上部に摺動可能に設けられた肘掛部と、
本体部に対する肘掛部の一方向への摺動によりシートに対する本体部の可動を固定するとともに、本体部に対する肘掛部の他方向への摺動によりシートに対する本体部の可動の固定を解除するロック機構と
を具備したことを特徴とするアームレスト装置。
【請求項２】
本体部は、シートに回動可能に軸支され、
ロック機構は、本体部に対する肘掛部の一方向への摺動によりシートに対する本体部の回動を複数の角度で固定するとともに、本体部に対する肘掛部の他方向への摺動によりシートに対する本体部の回動の固定を解除する
ことを特徴とする請求項１記載のアームレスト装置。
【請求項３】
シートに対応して設けられ、本体部内に嵌入された固定軸を具備し、
ロック機構は、
肘掛部から本体部内に突設され、本体部に対する肘掛部の摺動により固定軸に対して進退可能な可動体と、
固定軸および可動体のいずれか一方に設けられた係合凸部と、
固定軸および可動体のいずれか他方に設けられ、固定軸に対する可動体の進退により係合凸部に係脱可能な複数の係合凹部とを備えている
ことを特徴とする請求項２記載のアームレスト装置。
【請求項４】
本体部は、シートに対して上下動可能に設けられ、
ロック機構は、本体部に対する肘掛部の一方向への摺動によりシートに対する本体部の上下動を複数の位置で選択的に固定するとともに、本体部に対する肘掛部の他方向への摺動によりシートに対する本体部の上下動の固定を解除する
ことを特徴とする請求項１記載のアームレスト装置。
【請求項５】
本体部を上方向に付勢する本体付勢手段を具備し、
ロック機構は、
上下に複数設けられた係合凹部と、
係合凹部に係脱可能に設けられ、係合凹部への係合により本体部の上下動を固定するとともに係合凹部からの脱離により本体部の上下動の固定を解除する係合凸部と、
本体部に対する肘掛部の摺動により係合凸部を進退させて係合凹部に係脱させる連動機構とを備えている
ことを特徴とする請求項４記載のアームレスト装置。
【請求項６】
ロック機構は、シートに対する本体部の可動を固定する方向に肘掛部を付勢する付勢手段を備えている
ことを特徴とする請求項１乃至５のいずれかに記載のアームレスト装置。
【請求項７】
ロック機構は、本体部の内部に設けられている
ことを特徴とする請求項１乃至６のいずれかに記載のアームレスト装置。
【発明の詳細な説明】
【技術分野】
【０００１】
本発明は、シートに対応して設けられたアームレスト装置に関する。
【背景技術】
【０００２】
従来、車両としての作業機械である油圧ショベルなどには、運転者すなわちオペレータの疲労を軽減するために、運転席すなわちシートの両側部などに、両腕を載せられるアームレスト装置を設けることが多い。
【０００３】
そして、この種のアームレスト装置は、シートの側部に設けたコンソールの内部に、Ｘ字状のリンクを設け、このリンクの上部に肘掛部を設けて、コンソール後部に設けたノブを回転させることでリンクを起こすことにより肘掛部の上下位置を調整する構成が知られている（例えば、特許文献１参照。）。
【特許文献１】特開２００２−１８７４８７号公報（第６−８頁、図３）
【発明の開示】
【発明が解決しようとする課題】
【０００４】
しかしながら、上述のアームレスト装置では、内部構成を簡略化することが容易でないという問題点を有している。
【０００５】
また、コンソールの後部に設けたノブを回転させて肘掛部の位置を調整するため、最適な位置に肘掛部を移動させるためには、ノブを回転させては腕を肘掛部に置くなどして何度も確かめなければならず、位置の調整作業が煩雑であるという問題点も有している。
【０００６】
さらに、コンソールの後部にノブが突出するため、美観を向上することが容易でないという問題点も有している。
【０００７】
本発明は、このような点に鑑みなされたもので、比較的簡単な構成でシートに対する位置を容易に調整できるとともに、美観を向上できるアームレスト装置を提供することを目的とするものである。
【課題を解決するための手段】
【０００８】
請求項１記載の発明は、シートに対応して設けられたアームレスト装置であって、シートに対し可動的に設けられた本体部と、本体部の上部に摺動可能に設けられた肘掛部と、本体部に対する肘掛部の一方向への摺動によりシートに対する本体部の可動を固定するとともに、本体部に対する肘掛部の他方向への摺動によりシートに対する本体部の可動の固定を解除するロック機構とを具備したアームレスト装置であり、シートに対し可動的に設けられた本体部に摺動可能に設けた肘掛部の一方向への摺動により、シートに対する本体部の可動を固定し、本体部に対する肘掛部の他方向への摺動により、シートに対する本体部の可動の固定を解除するため、肘掛部を本体部に対して摺動させる比較的簡単な構成で作業者がシートに座ったままでシートに対する位置を容易に調整可能になるとともに、例えば位置を調整するためのレバーなどを設ける必要などがなく、美観が向上する。
【０００９】
請求項２記載の発明は、請求項１記載のアームレスト装置において、本体部は、シートに回動可能に軸支され、ロック機構は、本体部に対する肘掛部の一方向への摺動によりシートに対する本体部の回動を複数の角度で固定するとともに、本体部に対する肘掛部の他方向への摺動によりシートに対する本体部の回動の固定を解除するものであり、本体部をシートに回動可能に軸支し、肘掛部の一方向への摺動により、シートに対する本体部の回動を複数の角度で固定し、本体部に対する肘掛部の他方向への摺動により、シートに対する本体部の回動の固定を解除するため、肘掛部を本体部に対して摺動させる比較的簡単な構成で作業者がシートに座ったままでシートに対する回動位置を容易に調整可能になる。
【００１０】
請求項３記載の発明は、請求項２記載のアームレスト装置において、シートに対応して設けられ、本体部内に嵌入された固定軸を具備し、ロック機構は、肘掛部から本体部内に突設され、本体部に対する肘掛部の摺動により固定軸に対して進退可能な可動体と、固定軸および可動体のいずれか一方に設けられた係合凸部と、固定軸および可動体のいずれか他方に設けられ、固定軸に対する可動体の進退により係合凸部に係脱可能な複数の係合凹部とを備えているものであり、本体部に対する肘掛部の摺動により肘掛部から本体部内に突設された可動体がシートに対応して設けられ本体部内に嵌入された固定軸に対して進退し、この進退により、固定軸および可動体のいずれか一方に設けられた係合凸部に対して固定軸および可動体のいずれか他方に設けられた係合凹部が係脱することで、シートに対する本体部の回動位置を容易に調整可能な機構を、比較的簡単かつコンパクトに構成することが可能になる。
【００１１】
請求項４記載の発明は、請求項１記載のアームレスト装置において、本体部は、シートに対して上下動可能に設けられ、ロック機構は、本体部に対する肘掛部の一方向への摺動によりシートに対する本体部の上下動を複数の位置で選択的に固定するとともに、本体部に対する肘掛部の他方向への摺動によりシートに対する本体部の上下動の固定を解除するものであり、本体部をシートに対して上下動可能に設け、肘掛部の一方向への摺動により、シートに対する本体部の上下動を複数の位置で選択的に固定し、本体部に対する肘掛部の他方向への摺動により、シートに対する本体部の上下動の固定を解除するため、肘掛部を本体部に対して摺動させる比較的簡単な構成で作業者がシートに座ったままでシートに対する上下位置を容易に調整可能になる。
【００１２】
請求項５記載の発明は、請求項４記載のアームレスト装置において、本体部を上方向に付勢する本体付勢手段を具備し、ロック機構は、上下に複数設けられた係合凹部と、係合凹部に係脱可能に設けられ、係合凹部への係合により本体部の上下動を固定するとともに係合凹部からの脱離により本体部の上下動の固定を解除する係合凸部と、本体部に対する肘掛部の摺動により係合凸部を進退させて係合凹部に係脱させる連動機構とを備えているものであり、本体部に対する肘掛部の摺動により連動機構を介して係合凸部が進退し、係合凹部への係合により本体部の上下動を固定し、係合凹部からの脱離により本体部の上下動の固定を解除するので、シートに対する本体部の上下位置を容易に調整可能な機構を、比較的簡単かつコンパクトに構成することが可能になる。
【００１３】
請求項６記載の発明は、請求項１乃至５のいずれかに記載のアームレスト装置において、ロック機構は、シートに対する本体部の可動を固定する方向に肘掛部を付勢する付勢手段を備えているものであり、付勢手段よりシートに対する本体部の可動を固定する方向に肘掛部を付勢することで、作業者が作業中などに誤って肘掛部を摺動させてシートに対する本体部の可動の固定を解除することを防止するとともに、肘掛部を本体部に対して摺動させてシートに対する本体部の可動の固定を解除した状態では、付勢手段によりシートに対する本体部の可動を固定する方向に肘掛部を自動的に復帰させることが可能になり、使い勝手が向上する。
【００１４】
請求項７記載の発明は、請求項１乃至６のいずれかに記載のアームレスト装置において、ロック機構が、本体部の内部に設けられているものであり、ロック機構を本体部の内部に設けることで、ロック機構が本体部の外部に露出せず、美観がより向上する。
【発明の効果】
【００１５】
請求項１記載の発明によれば、シートに対し可動的に設けられた本体部に摺動可能に設けた肘掛部の一方向への摺動により、シートに対する本体部の可動を固定し、本体部に対する肘掛部の他方向への摺動により、シートに対する本体部の可動の固定を解除するため、肘掛部を本体部に対して摺動させる比較的簡単な構成で作業者がシートに座ったままでシートに対する位置を容易に調整できるとともに、例えば位置を調整するためのレバーなどを設ける必要などがなく、美観を向上できる。
【００１６】
請求項２記載の発明によれば、本体部をシートに回動可能に軸支し、肘掛部の一方向への摺動により、シートに対する本体部の回動を複数の角度で固定し、本体部に対する肘掛部の他方向への摺動により、シートに対する本体部の回動の固定を解除するため、肘掛部を本体部に対して摺動させる比較的簡単な構成で作業者がシートに座ったままでシートに対する回動位置を容易に調整できる。
【００１７】
請求項３記載の発明によれば、本体部に対する肘掛部の摺動により肘掛部から本体部内に突設された可動体がシートに対応して設けられ本体部内に嵌入された固定軸に対して進退し、この進退により、固定軸および可動体のいずれか一方に設けられた係合凸部に対して固定軸および可動体のいずれか他方に設けられた係合凹部が係脱することで、シートに対する本体部の回動位置を容易に調整可能な機構を、比較的簡単かつコンパクトに構成できる。
【００１８】
請求項４記載の発明によれば、本体部をシートに対して上下動可能に設け、肘掛部の一方向への摺動により、シートに対する本体部の上下動を複数の位置で選択的に固定し、本体部に対する肘掛部の他方向への摺動により、シートに対する本体部の上下動の固定を解除するため、肘掛部を本体部に対して摺動させる比較的簡単な構成で作業者がシートに座ったままでシートに対する上下位置を容易に調整できる。
【００１９】
請求項５記載の発明によれば、本体部に対する肘掛部の摺動により連動機構を介して係合凸部が進退し、係合凹部への係合により本体部の上下動を固定し、係合凹部からの脱離により本体部の上下動の固定を解除するので、シートに対する本体部の上下位置を容易に調整可能な機構を、比較的簡単かつコンパクトに構成できる。
【００２０】
請求項６記載の発明によれば、付勢手段よりシートに対する本体部の可動を固定する方向に肘掛部を付勢することで、作業者が作業中などに誤って肘掛部を摺動させてシートに対する本体部の可動の固定を解除することを防止できるとともに、肘掛部を本体部に対して摺動させてシートに対する本体部の可動の固定を解除した状態では、付勢手段によりシートに対する本体部の可動を固定する方向に肘掛部を自動的に復帰させることができ、使い勝手を向上できる。
【００２１】
請求項７記載の発明によれば、ロック機構を本体部の内部に設けることで、ロック機構が本体部の外部に露出せず、美観をより向上できる。
【発明を実施するための最良の形態】
【００２２】
以下、本発明を図１乃至図４に示された実施の形態を参照しながら詳細に説明する。
【００２３】
図３および図４は、シート１を示し、このシート１は、例えば車両としての作業機械である油圧ショベルなどの運転席となるものである。なお、以下、前後方向および幅方向は、シート１の前後方向および幅方向として説明する。
【００２４】
シート１は、ベース部２、このベース部２の上部に前後方向に摺動可能に設けられた座部３、および、この座部３の後部に、この座部３に対して前後方向に回動して傾斜可能に設けられた背当部４を備えている。
【００２５】
背当部４の両側には、三角形状の取付ブラケット５が取り付けられ、この取付ブラケット５には、アームレスト装置６が取り付けられている。
【００２６】
各取付ブラケット５は、基端部がシート１の背当部４の側部にそれぞれ螺子止めされ、先端部が上下方向に狭くなるとともに図１および図２に示されるように前側に向けて上方に傾斜している。
【００２７】
アームレスト装置６は、各取付ブラケット５の先端部に一体に設けられた円柱状の固定軸11、この固定軸11を介してシート１の各取付ブラケット５に回動すなわちチルト可能にそれぞれ軸支された本体部としてのケース12、および、これらケース12の上部にこれらケース12に対して前後方向に摺動すなわちスライド可能に設けられた肘掛部13を備えている。
【００２８】
固定軸11は、取付ブラケット５からシート１の幅方向の座部３側に水平に突出し、取付ブラケット５の面方向に略垂直となっている。また、この固定軸11は、ケース12の両側部の前後方向の後側寄りに設けられた貫通孔15に挿通されている。さらに、この固定軸11の後端には、四角形状の係合凸部16が水平方向に突設されている。
【００２９】
ケース12は、上部に開口21を有する略矩形箱状の収容部22を備え、この収容部22の開口21の幅方向の両縁部には、開口21の外方に水平に突出したフランジ部23が一体に設けられている。このフランジ部23は、肘掛部13をケース12に対して円滑にスライド可能とするスライドレールとなるものである。
【００３０】
また、収容部22の両側部には貫通孔15がそれぞれ貫通して設けられ、これら貫通孔15に固定軸11が挿通されることで、ケース12が固定軸11に対して上下方向にチルト可能となっている。
【００３１】
さらに、収容部22の開口21の前側には、開口21の内側に水平に突出して開口21の前部を閉塞する閉塞板部24が一体に設けられている。この閉塞板部24は、ケース12に対する肘掛部13のスライド幅よりも若干長く形成され、肘掛部13をケース12に対してスライドさせた際に、収容部22内がケース12の外部に露出することを防止するものである。
【００３２】
肘掛部13は、例えばウレタンなどの比較的軟質の合成樹脂で前後方向に細長い略四角形板状に設けられ、作業者すなわちオペレータが上面に腕を乗せる部分である。この肘掛部13は、ケース12よりも前後方向に若干長く、かつ幅方向に若干大きく形成されている。また、この肘掛部13は、下面がケース12の開口21の縁部に当接した状態でケース12に対して前後方向にスライド可能である。
【００３３】
さらに、肘掛部13の下面の幅方向の両側部には、肘掛部13の外形に沿って肘掛部13の幅方向の中心側に向けて突出し、フランジ部23の下面に当接する突出部31が設けられている。そして、これら突出部31は、肘掛部13の下面の幅方向の両側近傍との間に、フランジ部23を上下方向に挟持する係合溝部32を形成している。したがって、肘掛部13は、係合溝部32によりスライド方向を案内されている。
【００３４】
また、肘掛部13の下面の後端部には、ケース12の後部上端に当接する当接部33が下方に突出している。
【００３５】
さらに、肘掛部13の下面には、開口21からケース12の収容部22内に向けて下方に突出した可動体としてのロック板35が一体に設けられている。このロック板35は、略四角形板状に設けられ、取付ブラケット５に対して略平行に突出している。したがって、ロック板35は、固定軸11に対して垂直に設けられている。また、ロック板35は、固定軸11の前端よりも若干後側に位置している。そして、ロック板35は、ケース12に対する肘掛部13の前後方向のスライドにより固定軸11に対して進退可能となっている。
【００３６】
また、ロック板35の前端部には、半円弧状の切欠部36が切り欠き形成されている。この切欠部36は、固定軸11の外径よりも大きい内径を有し、中心位置が上下方向で固定軸11の中心軸と一致している。このため、この切欠部36には、固定軸11の後側が嵌合可能となっている。
【００３７】
そして、切欠部36には、係合凸部16が係合可能な略四角形状の係合凹部41が複数切り欠き形成されている。これら係合凹部41は切欠部36の内周に互いに略等角度で設けられている。そして、これら係合凹部41は、固定軸11に対するロック板35の前後方向の進退により係合凸部16に対して係脱可能である。
【００３８】
さらに、ロック板35の下端部近傍には、前後方向に長孔状のガイド孔42が貫通して設けられている。このガイド孔42には、ケース12の収容部22の側面から収容部22内に向けて幅方向に水平に突設されたガイドピン43が挿通されており、これらガイド孔42およびガイドピン43は、ケース12に対して肘掛部13をスライドさせた際にロック板35の固定軸11に対する進退を案内する。
【００３９】
また、ロック板35の下部の前端には、付勢手段としてのコイルスプリング44の一端部が前後方向に取り付けられている。このコイルスプリング44は、他端部が収容部22の底面から垂直に突設された固定突出部45に取り付けられて固定され、ケース12の収容部22の底面に対して略平行な状態に保持されている。そして、このコイルスプリング44は、前方向に肘掛部13を付勢し、この肘掛部13の後方向への摺動に対してテンションを与えるものである。
【００４０】
なお、このコイルスプリング44は、ばね係数が小さ過ぎるとケース12に対する肘掛部13のスライドの操作性が悪化し、ばね係数が大き過ぎると肘掛部13に適度なテンションを与えることができないため、作業中に肘掛部13から腕を離すと自動的に復帰する程度とすることが好ましい。
【００４１】
そして、これらロック板35、係合凹部41、係合凸部16およびコイルスプリング44などにより、ケース12の収容部22の内部にロック機構46が構成されている。すなわち、このロック機構46は、ケース12に対する肘掛部13の前方向へのスライドにより、シート１に対するケース12および肘掛部13の回動を固定するとともに、ケース12に対する肘掛部13の後方向へのスライドにより、シート１に対するケース12および肘掛部13の回動の固定を解除する。
【００４２】
次に、上記図１乃至図４に示された実施の形態の作用を説明する。
【００４３】
図３に示されるように、シート１の背当部４を座部３に対して後方に傾斜、すなわちリクライニングする際には、アームレスト装置６も背当部４とともに座部３に対して回動するため、このアームレスト装置６を背当部４に対してチルトさせて肘掛部13が水平に保たれるようにする。
【００４４】
すなわち、オペレータがシート１の座部３に座った状態で両腕をそれぞれ肘掛部13上に載せ、これら肘掛部13に後方に向けて外力を加えると、これら肘掛部13がフランジ部23および係合溝部32により案内されつつ後方にスライドするとともに、図２(a)に示されるように、肘掛部13と一体的にロック板35がガイド孔42およびガイドピン43により案内されつつ後方にスライドし、固定軸11の係合凸部16と係合凹部41との係合が外れるため、ケース12が肘掛部13とともにシート１の背当部４に対して固定軸11を中心として上下方向にチルトさせることが可能となる。
【００４５】
このとき、閉塞板部24により、収容部22の内部がケース12の外部に露出することが防止される。
【００４６】
そして、オペレータは、肘掛部13をケース12に対してスライドさせた状態で肘掛部13を保持し、ケース12および肘掛部13を背当部４に対してチルトさせて所望の角度にした状態で肘掛部13の保持を緩めると、コイルスプリング44により肘掛部13がロック板35とともにケース12に対して前方向にスライドし、図２(b)に示されるように、ケース12および肘掛部13のチルト角度に対応した係合凹部41と係合凸部16とが係合し、ケース12および肘掛部13が固定軸11に固定されることで、ケース12および肘掛部13のシート１に対するチルトが固定される。
【００４７】
上述したように、上記図１乃至図４に示された実施の形態では、シート１にチルト可能に軸支されたケース12に、このケース12に対してスライド可能に肘掛部13を設け、かつ、この肘掛部13を前方向にスライドさせることでシート１に対するケース12のチルトを複数の角度で固定可能にするとともに、肘掛部13を後方向にスライドさせることでシート１に対するケース12のチルトの固定を解除可能なロック機構46を設ける構成とした。
【００４８】
このため、オペレータがシート１の座部３に座ったままの状態で、ケース12に対して肘掛部13を後方向にスライドさせてシート１に対するケース12のチルトの固定を解除してケース12をシート１に対してチルトさせ、ケース12に対して肘掛部13を前方向にスライドさせてシート１に対するケース12のチルトを複数の角度で固定できるので、比較的簡単な構成でシート１に対するアームレスト装置６の回動位置を容易に調整できる。
【００４９】
しかも、オペレータがシート１に座ったままでアームレスト装置６の位置を調整できるため、アームレスト装置６の位置をオペレータにとっての最適位置に容易に調整できるので、使い勝手が良好になる。
【００５０】
また、例えば位置を調整するための操作レバーなどをケース12から突出させて設けるなどの必要がないため、アームレスト装置６の美観を向上できる。
【００５１】
さらに、コイルスプリング44により肘掛部13を前方向に付勢してテンションを与えていることで、オペレータが作業中、すなわち運転中などに、誤って肘掛部13をスライドさせてシート１に対するケース12のチルトの固定を解除することを防止できる。
【００５２】
そして、肘掛部13をケース12に対してスライドさせてシート１に対するケース12のチルトの固定を解除した状態では、オペレータが肘掛部13への外力を緩めることで、コイルスプリング44により前方向に肘掛部13を自動的に復帰させることができ、使い勝手を向上できる。
【００５３】
また、ロック機構46をケース12の収容部22の内部に設けることで、ロック機構46がケース12の外部に露出せず、美観をより向上できる。
【００５４】
さらに、ケース12に対する肘掛部13のスライドによりロック板35が固定軸11に対して進退し、この進退により、固定軸11に設けられた係合凸部16にロック板35に設けられた係合凹部41が係脱することで、シート１に対するケース12の位置を容易に調整できる機構を、比較的簡単かつコンパクトに構成でき、製造コストなどを抑制でき製造性を向上できるとともに、アームレスト装置６が必要以上に大きくなることを防止できる。
【００５５】
そして、切欠部36に略等角度に設けた複数の係合凹部41により係合凸部16を段階的に係合できるので、アームレスト装置６の位置を容易に調整でき、使い勝手を向上できる。
【００５６】
また、閉塞板部24により、ケース12に対して肘掛部13をスライドさせたときでも、ケース12の開口21がアームレスト装置６の外部に露出しないため、ケース12内に設けられた図示されない機構などが露出することを防止でき、美観をより向上できるとともに、オペレータがケース12内の機構などに誤って触れることなどを防止でき、かつオペレータが肘掛部13のスライド時に開口21に指を挟んだりすることをも防止できる。
【００５７】
なお、上記図１乃至図４に示す実施の形態において、係合凸部16をロック板35に設け、かつ係合凹部41を固定軸11に設ける構成も可能である。
【００５８】
また、アームレスト装置６は、固定軸11をシート１に直接設けず、シート１の近傍にシート１に対応して設けることも可能である。
【００５９】
次に、本発明の他の実施の形態の構成を図５乃至図８を参照して説明する。なお、上記図１乃至図４に示す実施の形態と同様の構成および作用については、同一符号を付してその説明を省略する。
【００６０】
図５乃至図８において、51はコンソールを示し、このコンソール51は、シート１に対応してこのシート１の両側方に上下動可能に設けられ、ベース部２の両側部に下端部がそれぞれ連結されている。これらコンソール51の上部には、アームレスト装置６が設けられている。
【００６１】
アームレスト装置６は、コンソール51の上部に設けられた四角形状のケース収容部52内にケース12が収容され、肘掛部13がコンソール51の上部に露出している。
【００６２】
また、アームレスト装置６のケース12の下部であるケース収容部52の下部には、ケース12をケース収容部52とともに上方向に付勢してテンションを与える本体付勢手段53が設けられ、この本体付勢手段53には、ロック機構46が係合している。
【００６３】
本体付勢手段53は、コンソール51に取り付けられた取付ブラケット55、この取付ブラケット55に上下動可能に挿入される挿入ブラケット56、および、取付ブラケット55と挿入ブラケット56とに挟持された付勢体としてのスプリング57などを備えている。
【００６４】
取付ブラケット55は、スプリング57の下端部を保持するスプリング保持部61と、このスプリング保持部61に連結され挿入ブラケット56の一部を保持するブラケット保持部62とを有している。
【００６５】
スプリング保持部61は、底板部61a、この底板部61aに平行な上板部61b、および、これら底板部61aと上板部61bとを互いに連結する端板部61cを備えている。底板部61aは、コンソール51の内部に水平に取り付けられて固定されている。さらに、底板部61aには、上板部61bの下部に亘って筒状の収容筒部63が設けられている。
【００６６】
この収容筒部63内の下部には、略円柱状の支持体としてのグロメット64が上方向に突出して設置されている。このグロメット64は、側面視で凸字状に形成され、収容筒部63の内径寸法よりも小さい外径寸法を有し、収容筒部63と同軸状に設けられている。そして、このグロメット64は、スプリング57の下端部に挿入されてこのスプリング57をスプリング保持部61の収容筒部63内に固定している。
【００６７】
また、上板部61bは、ケース収容部52の底面よりも若干下側に位置し、収容筒部63の上端部が挿入される平面視円形状の挿入孔65が、収容筒部63と同軸状に穿設されている。この挿入孔65からは、収容筒部63内に収容されたスプリング57の上端側が突出可能となっている。
【００６８】
さらに、端板部61cには、係合凹部としての係合孔66が、複数、上下方向に互いに離間されて略等間隔に穿設されている。
【００６９】
ブラケット保持部62は、端板部61cからスプリング保持部61と反対方向である後方向に向けて端板部61cに対して略垂直に一対の保持板部62aが突出され、これら保持板部62aの先端部である後端部、すなわち端板部61cと反対側には、後板部62bが一体に設けられている。
【００７０】
保持板部62aは、端板部61cの幅方向に互いに離間されて平行に対向し、後板部62bとの間に、挿入ブラケット56の一部が挿入されて収容される矩形状の収容空間部67を形成している。
【００７１】
後板部62bには、上下方向に長孔状のガイド孔62cが穿設されている。このガイド孔62cは、取付ブラケット55に対する挿入ブラケット56の上下動をガイドする。
【００７２】
また、挿入ブラケット56は、スプリング57の上端部を保持する保持上板部68と、この保持上板部68に連結され収容空間部67に挿入されて収容される被挿入部69とを有している。
【００７３】
保持上板部68は、上板部61bの上面に平行に下面が対向し、上面がケース12の下面に取り付けられてケース12と一体的となっている。この保持上板部68には、固定孔68aが穿設され、この固定孔68aには、螺子71が挿入されて、保持上板部68の下面に円柱状のスプリング収容筒部72が固定されている。
【００７４】
被挿入部69は、スプリング収容筒部72の軸方向に平行に保持上板部68の後端部から下方に一体的に延設された挿入端板部69a、この挿入端板部69aの一側部から後方に垂直に突出された連結板部69b、および、この連結板部69bの後端部から挿入端板部69aに平行に突出された挿入後板部69cを備えている。
【００７５】
挿入端板部69aは、被挿入部69が収容空間部67に挿入された状態で端板部61cの後面に対して隣接して平行に対向し、挿入ブラケット56の取付ブラケット55に対する上下動により、端板部61cに対して上下にスライドする。また、この挿入端板部69aには、連通孔73が穿設されている。
【００７６】
連結板部69bには、四角形板状の保持板部74が挿入ブラケット56とともに取付ブラケット55に対して上下にスライド可能に取り付けられている。この連結板部69bには、保持板部74を介してロック機構46が一体的に取り付けられている。
【００７７】
挿入後板部69cは、後板部62bの前面に対して隣接して平行に対向し、挿入ブラケット56の取付ブラケット55に対する上下動により、後板部62bに対して上下にスライドする。また、この挿入後板部69cには、四角形状の後方挿通孔69dが穿設されている。この後方挿通孔69dには、ガイド螺子69eが挿入されて取り付けられている。このガイド螺子69eは、先端部がガイド孔62cに挿入され、このガイド孔62cに沿って上下方向に挿入ブラケット56を案内する。
【００７８】
保持板部74には、円筒状の挿通筒部75が一体的に設けられている。この挿通筒部75は、保持板部74の前側寄り、かつ連通孔73に対応した位置に前後方向に軸方向を向けて設けられ、連通孔73に連通している。
【００７９】
一方、ロック機構46は、挿通筒部75に挿入される係合凸部としてのロックピン76と、このロックピン76に連結された回動可能なレバー77とを備えている。
【００８０】
ロックピン76は、略円柱状に形成され、先端部が連通孔73から端板部61c側へと突出している。そして、このロックピン76は、レバー77の回動により挿通筒部75にガイドされつつ前後方向に進退すなわちスライドし、係合孔66に対して係脱可能となっている。
【００８１】
レバー77は、保持板部74に取り付けられた可動部77a、ロックピン76の後端部に回動可能に取り付けられた取付部77b、この取付部77bから延設された軸支部77c、および、この軸支部77cから延設された腕部77dを有している。
【００８２】
可動部77aは、保持板部74に設けられた螺子部78との間に、付勢手段としてのスプリング79が取り付けられている。このスプリング79は、前後方向に水平に配設され、可動部77aを前方向に付勢することで、シート１に対するケース12の可動を固定する前方向に肘掛部13を付勢するものである。
【００８３】
取付部77bは、ロックピン76に対して前後方向に回動可能であり、レバー77の回動によるロックピン76の前後方向へのスライドの際に、ロックピン76の軸方向を挿通筒部75の軸方向に保持する。
【００８４】
軸支部77cは、取付部77bの下方に延設され、保持板部74に螺子81などで回動可能に軸支されてレバー77の回動の支点となる。
【００８５】
腕部77dは、軸支部77cから後方に延設され、かつ上方に屈曲されている。この腕部77dは、ガイド孔62cおよび後方挿通孔69dに挿通され、後板部62bよりも後方に突出している。また、この腕部77dには、リンク82が回動可能に連結されている。このリンク82は、先端部が肘掛部13の下面に回動可能に連結されている。そして、このリンク82とレバー77とにより、ロックピン76を前後方向に進退させて係合孔66に係脱させる連動機構83が構成されている。
【００８６】
次に、上記図５乃至図８に示す実施の形態の作用を説明する。
【００８７】
図６に示されるように、オペレータがシート１の座部３に座った状態で両腕をそれぞれ肘掛部13上に載せ、これら肘掛部13を下方に押さえつつ後方に向けて外力を加えると、これら肘掛部13が図示しないガイド機構により案内されつつ後方にスライドし、リンク82を介して腕部77dが後方に倒されることで、レバー77全体が軸支部77cを支点として後方に回動する。
【００８８】
そして、レバー77の取付部77bが後方に回動することで、ロックピン76が挿通筒部75にガイドされつつ後方にスライドし、ロックピン76の先端部と係合孔66との係合が外れるため、本体付勢手段53のスプリング57により上方に付勢された状態でケース12を肘掛部13とともにシート１に対して上下方向に移動させることが可能となる。
【００８９】
このとき、ロック機構46は、挿入ブラケット56とともに取付ブラケット55に対して上下方向に摺動する。
【００９０】
そして、肘掛部13をケース12とともに上方向にスライドさせる際には、オペレータが肘掛部13を押さえつける外力を緩めると、肘掛部13とケース12とが本体付勢手段53により上方向にスライドし、かつスプリング79により可動部77aを介してレバー77が前方に回動してケース12および肘掛部13の所定の高さ位置に対応した係合孔66にロックピン76の先端部が係合し、肘掛部13が前方向にスライドして復帰した状態でケース12および肘掛部13がコンソール51に固定されることで、ケース12および肘掛部13のシート１に対する上下動が固定される。
【００９１】
一方、肘掛部13をケース12とともに下方向にスライドさせる際には、オペレータが肘掛部13を押さえつける外力を本体付勢手段53のスプリング57の付勢力に抗して大きくして肘掛部13とケース12とを下方向にスライドさせると、スプリング79により可動部77aを介してレバー77が前方に回動してケース12および肘掛部13の所定の高さ位置に対応した係合孔66にロックピン76の先端部が係合し、肘掛部13が前方向にスライドして復帰した状態でケース12および肘掛部13がコンソール51に固定されることで、ケース12および肘掛部13のシート１に対する上下動が固定される。
【００９２】
上述したように、上記図５乃至図８に示す実施の形態では、シート１に対応してコンソール51に上下動可能に設けられたケース12に、このケース12に対してスライド可能に肘掛部13を設け、かつ、この肘掛部13を前方向にスライドさせることでシート１に対するケース12の上下動を複数の高さ位置で選択的に固定可能にするとともに、肘掛部13を後方向にスライドさせることでシート１に対するケース12の上下動の固定を解除可能なロック機構46を設ける構成とした。
【００９３】
このため、オペレータがシート１の座部３に座ったままの状態で、ケース12に対して肘掛部13を後方向にスライドさせてシート１に対するケース12の上下動の固定を解除してケース12をシート１に対して上下動させ、ケース12に対して肘掛部13を前方向にスライドさせてシート１に対するケース12の上下動を複数の高さ位置で選択的に固定できるので、比較的簡単な構成でシート１に対するアームレスト装置６の上下動位置を容易に調整できる。
【００９４】
また、ケース12に対する肘掛部13の摺動により連動機構83を介してロックピン76が前後方向に進退し、係合孔66への係合により本体付勢手段53によるケース12の上下動を固定し、係合孔66からの脱離により本体付勢手段53によるケース12の上下動の固定を解除するので、シート１に対するケース12の上下位置を容易に調整可能な機構を、比較的簡単かつコンパクトに構成できる。
【００９５】
なお、上記図５乃至図８に示す実施の形態において、ロック機構46をケース12の内部に設け、ケース12の上面側を本体付勢手段53で付勢する構成とすることも可能である。
【００９６】
また、ケース12に対する肘掛部13の前後方向のスライドにより肘掛部13の高さ位置を調整可能にできれば、ロック機構46の構成は上記構成に限定されるものではない。
【００９７】
さらに、上記各実施の形態において、コイルスプリング44に代えて、別操作による肘掛部13のスライドを固定するスライドロック機構を設ける構成も可能である。
【００９８】
また、肘掛部13は、前方向に向けてスライドさせることでロック機構46が外れ、後方向に向けてスライドさせることでロック機構46が固定される構成とすることも可能である。
【００９９】
また、アームレスト装置６は、一般的な自動車、あるいは作業機械など、油圧ショベル以外の様々な車両に対して適用可能である。
【図面の簡単な説明】
【０１００】
【図１】(a)は本発明に係るアームレスト装置の一実施の形態を示す縦断面図、(b)は同上アームレスト装置を示す横断面図である。
【図２】(a)は同上アームレスト装置のロック機構の移動を示す縦断面図、(b)は同上アームレスト装置の回転状態を示す縦断面図である。
【図３】同上アームレスト装置を備えたシートの傾斜およびアームレスト装置の回動状態を示す側面図である。
【図４】同上シートを示す正面図である。
【図５】本発明に係るアームレスト装置の他の実施の形態を示す縦断面図である。
【図６】同上アームレスト装置のロック機構の移動を示す縦断面図である。
【図７】同上アームレスト装置を備えたシートおよびアームレスト装置の上下動状態を示す側面図である。
【図８】同上シートを示す正面図である。
【符号の説明】
【０１０１】
１    シート
６    アームレスト装置
11    固定軸
12    本体部としてのケース
13    肘掛部
16    係合凸部
35    可動体としてのロック板
41    係合凹部
44    付勢手段としてのコイルスプリング
46    ロック機構
53    本体付勢手段
66    係合凹部としての係合孔
76    係合凸部としてのロックピン
79    付勢手段としてのスプリング
83    連動機構
【図１】
2005132137.tif 000003
【図２】
2005132137.tif 000004
【図３】
2005132137.tif 000005
【図４】
2005132137.tif 000006
【図５】
2005132137.tif 000007
【図６】
2005132137.tif 000008
【図７】
2005132137.tif 000009
【図８】
2005132137.tif 000010